(57)【要約】【課題】携帯用眼鏡ケースとして利用でき、さらに卓上スタンドケースとして利用できるスタンド機能付眼鏡ケースを提供することである。【解決手段】底面２２および側面２４で収容部２８が形成される第１ケース体２０と、上面４２および側面４４で収容部４８が形成される第２ケース体４０とを備え、第１ケース体２０の開口部２６と第２ケース体４０の収容部４８の開口部４６とは、略同一形状に形成され、第１ケース体２０の開口部２６および第２ケース体４０の開口部４６の対向する位置には、回転部７０が設けられ、底面２２から回転部７０までの距離と、上面４２から回転部７０までの距離が略同一に形成され、底面２２と上面４２とは、略平行となるように形成され、第２ケース部４０が回転部７０を回転中心として１８０度回転することで、上面２２と底面４０とにより同一平面に形成されることを特徴とするスタンド機能付眼鏡ケースである。【選択図】図２
0003120814.tif 000002
【実用新案登録請求の範囲】
【請求項１】
底面と側面とにより収容部が形成される第１ケース体と、
上面と側面とにより収容部が形成される第２ケース体とを備え、
前記第１ケース体に形成される前記収容部の開口部と前記第２ケース体に形成される前記収容部の開口部とは、略同一形状に形成され、
前記第１ケース体の前記開口部および前記第２ケース体の前記開口部において、対向する位置には、前記第１ケース体と前記第２ケース体とを連結する回転部が設けられ、
前記底面から前記回転部までの距離と、前記上面から前記回転部までの距離が略同一に形成され、
前記底面と前記上面とは、略平行となるように形成され、
前記第１ケース体の前記開口部に設けられた前記回転部側に、前記第２ケース部が前記回転部を回転中心として１８０度回転することで、前記上面と前記底面とにより同一平面に形成されることを特徴とするスタンド機能付眼鏡ケース。
【請求項２】
前記上面と前記底面とが同一平面に形成されたとき、
前記第１ケース体の前記開口部と前記第２ケース体の前記開口部とは、略同一平面に形成されることを特徴とする請求項１に記載のスタンド機能付眼鏡ケース。
【請求項３】
前記第１ケース体の前記開口部に設けられた前記回転部側の側面と前記底面とのなす角と、前記第２ケース体の前記開口部に設けられた前記回転部側の側面と前記上面とのなす角との和が１８０度となるように形成されることを特徴とする、請求項１または請求項２に記載のスタンド機能付眼鏡ケース。
【請求項４】
前記第１ケース体の前記開口部に設けられた前記回転部側の側面が、前記底面に対して垂直に形成され、
前記第２ケース体の前記開口部に設けられた前記回転部側の側面が、前記上面に対して垂直に形成されることを特徴とする、請求項１ないし請求項３のいずれかに記載のスタンド機能付眼鏡ケース。
【請求項５】
前記第１ケース体の前記開口部に設けられた前記回転部の向かい側および前記第２ケース体の前記開口部に設けられた前記回転部の向かい側には、前記第１ケース体の前記開口部の周縁端と前記第２ケース体の前記開口部の周縁端とを接合するための接合手段が設けられることを特徴とする、請求項１ないし請求項４のいずれかに記載のスタンド機能付眼鏡ケース。
【請求項６】
前記第１ケース体の前記開口部に設けられた前記回転部側の前記側面における底面側と、
前記第２ケース体の前記開口部に設けられた前記回転部側の前記側面における上面側とに、前記第１ケース体の前記回転部側の前記側面と前記第２ケース体の前記回転部側の前記側面とを接合するための維持手段が設けられることを特徴とする、請求項１ないし請求項５のいずれかに記載のスタンド機能付眼鏡ケース。
【請求項７】
前記第１ケース体および／または前記第２ケース体の側面の少なくとも一部に形成される取付手段を備え、
前記取付手段は、磁石を含み、前記第１ケース体および／または前記第２ケース体を磁性体で形成された所望する取付部に着脱自在に保持させることを特徴とする、請求項１ないし請求項６のいずれかに記載のスタンド機能付眼鏡ケース。
【請求項８】
前記回転部と対向する側の前記第２ケース体の前記側面に、開閉可能な扉部材を設けることを特徴とする、請求項１ないし請求項７のいずれかに記載のスタンド機能付眼鏡ケース。
【請求項９】
前記扉部材は、
前記回転部の対向する側の第２ケース体の前記側面であることを特徴とする、請求項８に記載のスタンド機能付眼鏡ケース。
【考案の詳細な説明】
【技術分野】
【０００１】
この考案は、スタンド機能付眼鏡ケースに関し、特にたとえば、携帯用眼鏡ケースとして利用でき、さらに卓上スタンドケースとして利用できるとした機能を有するスタンド機能付眼鏡ケースに関する。
【背景技術】
【０００２】
従来の眼鏡ケースの機能としては、主に、専ら眼鏡を収納して携帯し、あるいは、保管するための用途しか具備していなかった。
そこで、眼鏡を収納して外出する際には携帯用眼鏡ケースとして利用できるとともに、所要時に卓上スタンドとして利用できるスタンド機能付収納ケースが提案されている。
すなわち、該スタンド機能付収納ケースは、上端部正面を開口して出入口となし、出入口から物品を出し入れ自在に収納する収納部を有するケース体と、ケース本体に回動自在に取り付けられ、出入口を開閉するスタンド兼用蓋部材と、蓋部材の回動方向の動きを係止する係止手段とを備え、蓋部材はケース本体の縦幅と対応する長さに形成されているとともにケース本体の横幅と対応する間隔を存して相対設した一対の側板と、両板の上端部側に、出入口と対応する大きさに形成した開閉蓋部とを有し、両板の中間部をケース本体に回動自在に枢着して蓋部で出入口を所定角度に開いた位置でケース本体に対する蓋部材の回動方向の動きを解除可能に係止させるようにしたことを特徴としたものである（特許文献１参照）。
【０００３】
【特許文献１】特開２００１−２８６３２０号公報
【考案の開示】
【考案が解決しようとする課題】
【０００４】
しかしながら、特許文献１に記載されたスタンド機能付眼鏡ケースは、卓上スタンドケースとして利用する際に、蓋部材が収納ケースの出入口を塞ぐように妨げることで、眼鏡を収納しにくいといった問題がある。
【０００５】
それゆえに、この考案の主たる目的は、たとえば、携帯用眼鏡ケースとして利用するとともに眼鏡用卓上スタンドケースとして安定して設置することができ、眼鏡の収納として利用し易いスタンド機能付眼鏡ケースを提供することである。
【課題を解決するための手段】
【０００６】
この考案にかかるスタンド機能付眼鏡ケースは、底面と側面とにより収容部が形成される第１ケース体と、上面と側面とにより収容部が形成される第２ケース体とを備え、第１ケース体に形成される収容部の開口部と第２ケース体に形成される収容部の開口部とは、略同一形状に形成され、第１ケース体の開口部および第２ケース体の開口部において、対向する位置には、第１ケース体と第２ケース体とを連結する回転部が設けられ、底面から回転部までの距離と、上面から回転部までの距離が略同一に形成され、底面と上面とは、略平行となるように形成され、第１ケース体の開口部に設けられた回転部側に、第２ケース部が回転部を回転中心として１８０度回転することで、上面と底面とにより同一平面に形成されることを特徴とするスタンド機能付眼鏡ケースである。
また、この考案にかかるスタンド機能付眼鏡ケースは、上面と底面とが同一平面に形成されたとき、第１ケース体の開口部と第２ケース体の開口部とは、略同一平面に形成されることが好ましい。
【０００７】
また、この考案にかかるスタンド機能付眼鏡ケースは、第１ケース体の開口部に設けられた回転部側の側面と底面とのなす角と、第２ケース体の開口部に設けられた回転部側の側面と上面とのなす角との和が１８０度となるように形成されることが好ましく、また、第１ケース体の開口部に設けられた回転部側の側面が、底面に対して垂直に形成され、第２ケース体の開口部に設けられた回転部側の側面が、上面に対して垂直に形成されるのがより好ましい。
【０００８】
また、この考案にかかるスタンド機能付眼鏡ケースは、第１ケース体の開口部に設けられた回転部の向かい側および第２ケース体の開口部に設けられた回転部の向かい側には、第１ケース体の開口部と第２ケース体の開口部とを接合するための接合手段が設けられる、スタンド機能付眼鏡ケースである。
【０００９】
また、この考案にかかるスタンド機能付眼鏡ケースは、第１ケース体の開口部に設けられた回転部側の側面における底面側と、第２ケース体の開口部に設けられた回転部側の側面における上面側とに、第１ケース体の回転部側の側面と第２ケース体の回転部側の側面とを接合するための前維持手段が設けられる、スタンド機能付眼鏡ケースである。
【００１０】
また、この考案にかかるスタンド機能付眼鏡ケースは、第１ケース体および／または第２ケース体の側面の少なくとも一部に形成される取付手段を備え、取付手段は、磁石を含み、第１ケース体および／または第２ケース体を磁性体で形成された所望する取付部に着脱自在に保持させる、スタンド機能付眼鏡ケースである。
【００１１】
また、この考案にかかるスタンド機能付眼鏡ケースは、回転部と対向する側の第２ケース体の側面に、開閉可能な扉部材を設けるとしたスタンド機能付眼鏡ケースであることが好ましく、さらに、扉部材は、回転部の対向する側の第２ケース体の側面であるスタンド機能付眼鏡ケースでも好ましい。
【考案の効果】
【００１２】
この考案にかかるスタンド機能付眼鏡ケースは、底面と側面とにより収容部が形成される第１ケース体と、上面と側面とにより収容部が形成される第２ケース体とを備え、第１ケース体に形成される収容部の開口部と第２ケース体に形成される収容部の開口部とは、略同一形状に形成され、第１ケース体の開口部および第２ケース体の開口部において、対向する位置には、第１ケース体と第２ケース体とを連結する回転部が設けられ、底面から回転部までの距離と、上面から回転部までの距離が略同一に形成され、底面と上面とは、略平行となるように形成され、第１ケース体の開口部に設けられた回転部側に、第２ケース部が回転部を回転中心として１８０度回転することで、上面と底面とにより同一平面に形成されることから、携帯用眼鏡ケースとして利用でき、さらに卓上スタンドケースとして安定して利用でき、開口部の上部側には障害がないことから眼鏡等を収納し易いとした、スタンド機能付眼鏡ケースである。
【００１３】
この考案の上述の目的、その他の目的、特徴および利点は、図面を参照して行う以下の考案を実施するための最良の形態の説明から一層明らかとなろう。
【考案を実施するための最良の形態】
【００１４】
図１は、この考案にかかるスタンド機能付眼鏡ケースを携帯用眼鏡ケースとして使用した状態を示す斜視図である。図２は、この考案にかかるスタンド機能付眼鏡ケースを卓上スタンドケースとして使用した状態を示す斜視図である。また、図３は、この考案にかかるスタンド機能付眼鏡ケースを卓上スタンドケースとして使用した状態における断面図である。
【００１５】
まず、この考案にかかるスタンド機能付眼鏡ケース１０を携帯用眼鏡ケースとして使用する状態を説明する。
スタンド機能付眼鏡ケース１０は、第１ケース体２０および第２ケース体４０により、たとえば、収容部を有する略直方体とした箱状体に形成される。第１ケース体２０は、本体ケースとしての役割を有し、第２ケース体４０は、第１ケース体２０を被蓋する蓋としての役割を有しており、第１ケース体２０の上部に第２ケース体４０が配置される。
【００１６】
第１ケース体２０は、底面２２と側面２４とにより眼鏡Ｇを収容するための収容部２８が形成されている。収容部２８には、たとえば、仕切り部材３４が、たとえば、取り外し可能に配置されている。
第１ケース体２０における側面２４は、たとえば、正面２４ａ、右側面２４ｂ、左側面２４ｃ、背面２４ｄの４面により形成されており、第１ケース体２０は、底面２２とともに箱状体に形成されている。収容部２８における底面２２の反対側、すなわち、正面２４ａ、右側面２４ｂ、左側面２４ｃ、背面２４ｄのそれぞれ上端辺の４辺により開口部２６が設けられている。
第１ケース体２０の背面２４ｄの上端辺付近において、第２ケース体４０により第１ケース体２０に蓋をした状態を維持するための接合手段３０が、たとえば、磁性体である板状の金属片により設けられている。本実施例においては、後に述べる表側部材６０の第１ケース体２０の背面２４ｄ上端辺の上部側に、接合手段３０が形成される。
また、第１ケース体２０の正面２４ａの下端部において、維持手段３２が、たとえば、磁石を配置することにより形成される。
第１ケース体２０は、たとえば、板紙により略直方体とした箱状体を形作る芯材２０ａにより形成され、該芯材２０ａの収容部２８側である内側面は、たとえば、フェルト等の保護材２０ｃにより覆われるように形成されている。
【００１７】
第２ケース体４０は、上面４２と側面４４とにより収容部４８が形成されている。第２ケース体４０は、上述したように、第１ケース体２０の開口部２６を被蓋する蓋としての役割を有する。第２ケース体４０における側面４４は、たとえば、正面４４ａ、右側面４４ｂ、左側面４４ｃ、背面４４ｄの４面により形成されており、第２ケース体４０は、上面４２とともに箱状体に形成されている。収容部４８における上面４２の反対側、すなわち、正面４４ａ、右側面４４ｂ、左側面４４ｃ、背面４４ｄのそれぞれの下端辺の４辺により開口部４６が設けられている。
第２ケース体４０の背面４４ｄの下端辺には、第２ケース体４０により第１ケース体２０に蓋をした状態を維持するための接合手段５０が、たとえば、磁石を配置することにより形成される。該接合手段５０は、第２ケース体４０の背面４４ｄの略中央から下端辺に向かって、後に述べる表側部材６０の厚さ分低く設けられる。
また、第２ケース体４０の正面４４ａの上端部において、維持手段５２が、たとえば、磁石を配置することにより形成される。
第２ケース体４０は、たとえば、板紙により略直方体とした箱状体を形作る芯材４０ａにより、該芯材４０ａの収容部４８側である内側面は、たとえば、フェルト等の保護材４０ｃにより覆われるように形成されている。
【００１８】
第１ケース体２０および第２ケース体４０は、第１ケース体２０における背面２４ｄ、底面２２、正面２４ａおよび第２ケース体４０における正面４４ａ、上面４２、背面４４ｄの大きさとした矩形に形成された表側部材６０が、第１ケース体２０における背面２４ｄ、底面２２、正面２４ａおよび第２ケース体４０における正面４４ａ、上面４２、背面４４ｄの略中央付近に、たとえば、接着剤等により接着されることで、第１ケース体２０と第２ケース体４０とが一体に形成される。
表側部材６０は、たとえば、柔軟な合成皮等からなる基材６０ａと、該基材６０ａの外側を包むように貼着された柔軟な合成皮等からなる表面材６０ｂとを有している。
【００１９】
第１ケース体２０の開口部２６および第２ケース体４０の開口部４６は、枠状とした略同一形状に形成されており、たとえば、側面視直線に形成されている。
そして、開口部２６，開口部４６のそれぞれ対向する位置において、開口部２６および開口部４６の周端縁の一部、たとえば、第１ケース体２０の正面２４ａの上端辺および第２ケース体４０の正面４４ａの下端辺に相当する表側部材６０の部分には、第１ケース体２０および第２ケース体４０とを連結する回転部７０が設けられている。
回転部７０は、第２ケース体４０が回転自在となるように設けられたものであり、第１ケース体２０における底面２２から回転部７０の長さと第２ケース体４０における上面４２から回転部７０間での長さは、略同一に設けられている。
第１ケース体２０の開口部２６は、回転部７０を下端として、第１ケース体２０の正面２４ａから背面２４ｄに向かって、斜め上方向に形成されている。また、第２ケース体４０の開口部４６は、回転部７０を下端として、第２ケース体４０の正面４４ａから背面４４ｄに向かって、斜め上方向に形成されている。
第１ケース体２０の開口部２６により形成される面の延長面と第１ケース体２０の底面２２の延長面との交わる箇所におけるなす角は、第２ケース体４０の開口部４６により形成される面の延長面と第２ケース体４０の上面４２の延長面との交わる箇所におけるなす角と、略同一である。上記角度は、たとえば、約５５度で形成されている。
また、第１ケース体２０の側面２４は、たとえば、第１ケース体２０の底面２２に対して垂直に形成されており、第２ケース体４０の側面４４は、例えば、第２ケース体４０の上面４２に対して垂直に形成されている。
また、第１ケース体２０の正面２４ａと第１ケース体２０の底面２２とのなす角と第２ケース体４０の正面４４ａと第２ケース体４０の上面４２とのなす角との和は、１８０度に形成される。本実施例においては、第１ケース体２０の正面２４ａと第１ケース体２０の底面２２とは垂直に形成され、第２ケース体４０の正面４４ａと第２ケース体４０の上面４２とは垂直に形成されている。
【００２０】
スタンド機能付眼鏡ケース１０を携帯用眼鏡ケースとして使用しているとき、すなわち、第２ケース体４０を第１ケース体２０における被蓋の機能として使用しているときは、第１ケース体２０の底面２２と第２ケース体４０の上面４２とは、略平行に形成されている。
このとき、第１ケース体２０の背面２４ｄの上端辺に取り付けられた、たとえば、金属片により形成された接合手段３０と第２ケース体４０の背面４４ｄの下端辺に取り付けられた、たとえば、磁石により形成された接合手段５０とが接合し、第１ケース体２０の背面２４ｄと第２ケース体４０の背面４４ｄとで、略同一平面が形成される。そうすると、スタンド機能付眼鏡ケース１０は、携帯用眼鏡ケースとして安定して使用することができる。
【００２１】
次に、この考案にかかるスタンド機能付眼鏡ケース１０を卓上スタンドケースとして使用する状態を説明する。
スタンド機能付眼鏡ケース１０を卓上スタンドケースとして使用する際には、第１ケース体２０の上部に配置される第２ケース体４０が回転部７０を回転中心として、１８０度回転することで、第１ケース体２０の正面２４ａ側に第２ケース体４０が配置される。そうすると、第１ケース体２０の底部２２と第２ケース体４０の上面４２が、同一平面に形成され、第１ケース体２０の正面２４ａと第２ケース体４０の正面４４ａが接合する。
また、第１ケース体２０の開口部２６により形成される面と第２ケース体４０の開口部４６により形成される面とは、略同一平面を形成する。
このとき、第２ケース体４０は、第１ケース体２０の被蓋する蓋の役割ではなく、卓上スタンドケースの役割を有する。
上述の状態を安定して維持するために、第１ケース体２０の正面２４ａおよび第２ケース体４０の正面４４ａに、たとえば、磁石により形成される維持手段３２，維持手段５２が設けられており、それらが接合する。そうすると、卓上スタンドケースとして使用するとき、第１ケース体２０の正面２４ａと第２ケース体４０の正面４４ａとが離れることを防止するため、安定して、スタンド機能付眼鏡ケース１０を卓上スタンドケースとして使用することができる。
【００２２】
なお、本考案にかかるスタンド機能付眼鏡ケースにおいて、第１ケース体２０の開口部２６が形成する面の延長面と底面２２の延長面との交わる箇所において形成される角度および第２ケース体の開口部４６の延長面と上面４２の延長面との交わる箇所において形成される角度は、約５５度に形成されているが、それに限られるものではない。
すなわち、図４および図５に示すように、第１ケース体２０の開口部２６が形成する面の延長面と底面２２との延長面との交わる箇所により形成される角度および第２ケース体４０の開口部４６が形成する面の延長面と上面４２との延長面との交わる箇所により形成される角度は、スタンド機能付眼鏡ケース１１０に示すように、３０度程度でもよいし、スタンド機能付眼鏡ケース２１０に示すように、０度、すなわち、第１ケース体２０の底面２２および第２ケース体４０の上面４２に対して平行に開口部２６および開口部４６により形成される面が設けられてもよい。
そうすると、卓上スタンドケースとして使用するとき、第２ケース体４０における背面４４ｄの上面４２付近から開口部４６までの長さが大きくなることから、第２ケース体４０の収容部４８に眼鏡を安定して配置させることが可能となる。
【００２３】
また、本考案にかかるスタンド機能付眼鏡ケースにおいては、図６に示すように、第２ケース体４０の背面４４ｄに別途扉部材８０を設けるようにしてもよい。
すなわち、スタンド機能付眼鏡ケース３１０において、扉部材８０は、第１扉部材８０ａおよび第２扉部材８０ｂにより形成される。第１扉部材８０ａは、第２ケース体４０の背面４４ｄの幅方向の長さと第２ケース体４０の右側面４４ｂもしくは左側面４４ｃにおける背面４４ｄ側の端辺４４ｂ１，４４ｃ１の長さを有した略矩形に形成されている。第１扉部材８０ａの一方端辺は、第２ケース体４０の左側面４４ｃの第２ケース体４０の背面４４ｄ寄りの端辺４４ｃ１において回動自在な支持部７２を介して連結されている。
第２扉部材８０ｂは、略矩形の形状に形成されており、第１扉部材８０ａの他方端辺において、該第１扉部材８０ａに対して略垂直に連設している。第２扉部材８０ｂの略中央部には、たとえば、磁性体である板状の金属片により形成された扉閉じ手段８２が設けられている。第２ケース体４０の右側面４４ｂにおける第２ケース体４０の背面４４ｄ寄りの端辺４４ｂ１略中央付近には、扉閉じ手段８４が、たとえば、磁石が配置されることにより形成されている。
このとき、第２ケース体４０の背面４４ｄにおける上端辺から下端辺の長さは、第２ケース体４０の右側面４４ｂもしくは左側面４４ｃにおける背面４４ｄ側の端辺４４ｂ１，４４ｃ１の長さの概ね半分の長さに形成されている。
そうすると、第１ケース体２０の収容部２８に眼鏡Ｇを配置した場合において、扉部材８０を開いた状態で第２ケース体４０を閉めるとき、第２ケース体４０の背面４４ｄが、該眼鏡Ｇに当たることなく第２ケース体４０を閉めることが可能となる。
【００２４】
なお、第１扉部材８０ａの一方端辺は、第２ケース体４０の左側面４４ｃにおける第２ケース体４０の背面４４ｄ寄りの端辺４４ｃ１において支持部７２を介して連結されているが、それに限られるものではなく、第２ケース体４０の右側面４４ｂにおける第２ケース体４０の背面４４ｄ寄りの端辺４４ｂ１において支持部７２を設け、該支持部７２を介して連結されるようにされてもよい。
また、本実施例においては、第２ケース体４０の背面４４ｄとは別に扉部材８０が設けられているが、それに限られるものではなく、第２ケース体４０の背面４４ｄ自体が、扉部材８０の役割を有するように形成されてもよい。
【００２５】
また、本考案にかかるスタンド機能付眼鏡ケースにおいては、図６に示すように、第１ケース体２０の右側面２４ｂの上端辺および第１ケース体２０の左側面２４ｃの上端辺における上部側においては、それぞれの内縁に沿って、内枠部９０が形成されていてもよい。そうすると、第１ケース体２０を第２ケース体４０で蓋をしたとき、第１ケース体２０の開口部２６および第２ケース体４０の開口部４６における両側辺に隙間を作ることなく蓋をすることができる。
すなわち、第１ケース体２０の開口部２６の周縁端と第２ケース体４０の開口部の周縁端とが接合することにより、隙間を作ることなく第１ケース体２０に対して第２ケース体４０により蓋をすることができる。
【００２６】
また、本考案にかかるスタンド機能付眼鏡ケースにおいて、第１ケース体２０の背面２４ｄの上端辺付近において、磁性体である板状の金属片を接合手段３０として設け、第２ケース体４０の背面４４ｄの下端辺には、磁石を接合手段５０として設けることにより形成されているが、それに限られるものではなく、接合手段３０に、たとえば、磁石を設け、接合手段５０に、磁性体である板状の金属片を設けるようにしてもよく、接合手段３０および接合手段５０の両方に磁石を設けるようにしてもよい。
そうすると、図７（ａ）に示すように、スタンド機能付眼鏡ケース１０は、磁性体を有する壁に対して、第１ケース体２０の背面２４ｂおよび第２ケース体４４ｄを該壁に取り付けることが可能である。また、第１ケース体２０の正面２４ａおよび第２ケース体正面４４ｂを該壁に取り付けることも可能である。
【００２７】
また、本考案にかかるスタンド機能付眼鏡ケースにおいて、第１ケース体２０の背面２４ｄにおいて、さらに、取付手段３６が、たとえば、磁石を配置させることにより設けられていてもよい。そうすると、図７（ｂ）に示すように、スタンド機能付眼鏡ケース１０を卓上スタンドケースとして使用する場合も、磁性体を有する壁に対して、第１ケース体２０を該壁に取り付けることが可能である。
【００２８】
また、本考案にかかるスタンド機能付眼鏡ケースにおいて、第１ケース体２０の正面２４ａの下端部に形成されている維持手段３２には、磁石を配置し、第２ケース体４０の正面４４ａの上端部に形成されている維持手段５２には、磁石を配置しているが、それに限られるものではなく、維持手段３２もしくは維持手段５２のいずれかに磁石を配置するようにしてもよい。
なお、本実施例においては、維持手段３２および維持手段５２は、磁石および磁性体を配置させるとしたが、それに限られるものではなく、維持手段３２および維持手段５２には、磁石および磁性体の代わりに面ファスナを用いてもかまわない。
【００２９】
また、本考案にかかるスタンド機能付眼鏡ケースにおいて、第１ケース体２０の正面２４ａと第２ケース体４０の正面４４ａとは、平面に形成されるとしたが、それに限られるものではなく、たとえば、正面２４ａを凸面、正面４４ａ凹面とするといった、それぞれの面を接合する際に、隙間無く接合できるような形状であれば、どのような形状でもかまわない。
【００３０】
さらに、本考案にかかるスタンド機能付眼鏡ケースは、たとえば、断面矩形とした箱状体に形成されているが、それに限るものではなく、断面略円形とする筒状や断面略楕円形状とする筒状に形成されてもかまわない。
【図面の簡単な説明】
【００３１】
【図１】この考案にかかるスタンド機能付眼鏡ケースを携帯用眼鏡ケースとして使用    した状態を示す斜視図である。
【図２】この考案にかかるスタンド機能付眼鏡ケースを卓上スタンドケースとして使    用した状態を示す側面図である。
【図３】図２に示すスタンド機能付眼鏡ケースを卓上スタンドケースとして使用した    状態における断面図である。
【図４】この考案にかかるスタンド機能付眼鏡ケースの他の実施例を示す斜視図であ    る。
【図５】この考案にかかるスタンド機能付眼鏡ケースのさらに他の実施例を示す斜視    図である。
【図６】この考案にかかるスタンド機能付眼鏡ケースのさらに他の実施例を示す斜視    図である。
【図７】この考案にかかるスタンド機能付眼鏡ケースの使用例を示す側面図であって    、（ａ）携帯用眼鏡ケースを壁に取り付けた場合、（ｂ）卓上スタンドケースを壁に    取り付けた場合、を示す。
【符号の説明】
【００３２】
１０  スタンド機能付眼鏡ケース
２０  第１ケース体
２２  底部
２４  側面
２６  開口部
２８  収容部
３０  接合手段
３２  維持手段
３４  仕切り部材
３６  取付部材
４０  第２ケース体
４２  上面
４４  側面
４６  開口部
４８  収容部
５０  接合手段
５２  維持手段
６０  表側部材
７０  回転部
８０  扉部材
９０  内枠部
【図１】
0003120814.tif 000003
【図２】
0003120814.tif 000004
【図３】
0003120814.tif 000005
【図４】
0003120814.tif 000006
【図５】
0003120814.tif 000007
【図６】
0003120814.tif 000008
【図７】
0003120814.tif 000009
【手続補正書】
【提出日】平成18年2月28日(2006.2.28)
【手続補正１】
【補正対象書類名】実用新案登録請求の範囲
【補正対象項目名】全文
【補正方法】変更
【補正の内容】
【実用新案登録請求の範囲】
【請求項１】
底面と側面とにより収容部が形成される第１ケース体と、
上面と側面とにより収容部が形成される第２ケース体とを備え、
前記第１ケース体に形成される前記収容部の開口部と前記第２ケース体に形成される前記収容部の開口部とは、略同一形状に形成され、
前記第１ケース体の前記開口部および前記第２ケース体の前記開口部は、対向する位置に、前記第１ケース体と前記第２ケース体とを連結する回転部が設けられ、
前記第１ケース体および／または前記第２ケース体の側面は、少なくともその一部に、第１ケース体と第２ケース体とを接合する接合手段、第１ケース体と第２ケース体とを接合する維持手段および取付手段のうち少なくとも一つを有し、
前記接合手段、前記維持手段および前記取付手段は、磁石を含み、前記磁石により前記第１ケース体および／または前記第２ケース体を磁性体で形成された適宜な取付部に着脱自在に保持させることを特徴とする、スタンド機能付眼鏡ケース。
【請求項２】
前記第１ケース体の前記底面から前記回転部までの距離と、前記第２ケース体の前記上面から前記回転部までの距離が略同一に形成され、
前記第１ケース体の前記底面と前記第２ケース体の前記上面とは、略平行となるように形成され、
前記第１ケース体の前記開口部に設けられた前記回転部側に、前記第２ケース体が前記回転部を回転中心として１８０度回転することで、前記上面と前記底面とにより同一平面に形成されることを特徴とする、請求項１に記載のスタンド機能付眼鏡ケース。
【請求項３】
前記上面と前記底面とが同一平面に形成されたとき、
前記第１ケース体の前記開口部と前記第２ケース体の前記開口部とは、略同一平面に形成されることを特徴とする、請求項１または２に記載のスタンド機能付眼鏡ケース。
【請求項４】
前記第１ケース体の前記開口部に設けられた前記回転部側の側面と前記底面とのなす角と、前記第２ケース体の前記開口部に設けられた前記回転部側の側面と前記上面とのなす角との和が１８０度となるように形成されることを特徴とする、請求項１ないし請求項３のいずれかに記載のスタンド機能付眼鏡ケース。
【請求項５】
前記第１ケース体の前記開口部に設けられた前記回転部側の側面が、前記底面に対して垂直に形成され、
前記第２ケース体の前記開口部に設けられた前記回転部側の側面が、前記上面に対して垂直に形成されることを特徴とする、請求項１ないし請求項４のいずれかに記載のスタンド機能付眼鏡ケース。
【請求項６】
前記第１ケース体の前記開口部に設けられた前記回転部の向かい側および前記第２ケース体の前記開口部に設けられた前記回転部の向かい側には、前記第１ケース体の前記開口部の周縁端と前記第２ケース体の前記開口部の周縁端とを接合するための接合手段が設けられることを特徴とする、請求項１ないし請求項５のいずれかに記載のスタンド機能付眼鏡ケース。
【請求項７】
前記第１ケース体の前記開口部に設けられた前記回転部側の前記側面における底面側と、
前記第２ケース体の前記開口部に設けられた前記回転部側の前記側面における上面側とに、前記第１ケース体の前記回転部側の前記側面と前記第２ケース体の前記回転部側の前記側面とを接合するための維持手段が設けられることを特徴とする、請求項１ないし請求項６のいずれかに記載のスタンド機能付眼鏡ケース。
【請求項８】
前記回転部と対向する側の前記第２ケース体の前記側面に、開閉可能な扉部材を設けることを特徴とする、請求項１ないし請求項７のいずれかに記載のスタンド機能付眼鏡ケース。
【請求項９】
前記扉部材は、
前記回転部の対向する側の第２ケース体の前記側面であることを特徴とする、請求項８に記載のスタンド機能付眼鏡ケース。
【手続補正２】
【補正対象書類名】明細書
【補正対象項目名】０００６
【補正方法】変更
【補正の内容】
【０００６】
この考案にかかるスタンド機能付眼鏡ケースは、底面と側面とにより収容部が形成される第１ケース体と、上面と側面とにより収容部が形成される第２ケース体とを備え、第１ケース体に形成される収容部の開口部と第２ケース体に形成される収容部の開口部とは、略同一形状に形成され、第１ケース体の開口部および第２ケース体の開口部は、対向する位置に、第１ケース体と第２ケース体とを連結する回転部が設けられ、第１ケース体および／または第２ケース体の側面は、少なくともその一部に、第１ケース体と第２ケース体とを接合する接合手段、第１ケース体と第２ケース体とを接合する維持手段および取付手段のうち少なくとも一つを有し、接合手段、維持手段および取付手段は、磁石を含み、磁石により第１ケース体および／または第２ケース体を磁性体で形成された適宜な取付部に着脱自在に保持させることを特徴とする、スタンド機能付眼鏡ケースである。
また、この考案にかかるスタンド機能付眼鏡ケースは、上面と底面とが同一平面に形成されたとき、第１ケース体の開口部と第２ケース体の開口部とは、略同一平面に形成されることが好ましい。
【手続補正３】
【補正対象書類名】明細書
【補正対象項目名】０００７
【補正方法】変更
【補正の内容】
【０００７】
また、この考案にかかるスタンド機能付眼鏡ケースは、第１ケース体の底面から回転部までの距離と、第２ケース体の上面から回転部までの距離が略同一に形成され、第１ケース体の底面と第２ケース体の上面とは、略平行となるように形成され、第１ケース体の開口部に設けられた回転部側に、第２ケース体が回転部を回転中心として１８０度回転することで、上面と底面とにより同一平面に形成されるのが好ましい。また、第１ケース体の開口部に設けられた回転部側の側面と底面とのなす角と、第２ケース体の開口部に設けられた回転部側の側面と上面とのなす角との和が１８０度となるように形成されるのがより好ましい。
【手続補正４】
【補正対象書類名】明細書
【補正対象項目名】０００８
【補正方法】変更
【補正の内容】
【０００８】
また、この考案にかかるスタンド機能付眼鏡ケースは、第１ケース体の開口部に設けられた回転部側の側面が、底面に対して垂直に形成され、第２ケース体の開口部に設けられた回転部側の側面が、上面に対して垂直に形成されるのが好ましい。
【手続補正５】
【補正対象書類名】明細書
【補正対象項目名】０００９
【補正方法】変更
【補正の内容】
【０００９】
また、この考案にかかるスタンド機能付眼鏡ケースは、第１ケース体の開口部に設けられた回転部の向かい側および第２ケース体の開口部に設けられた回転部の向かい側には、第１ケース体の開口部の周縁端と第２ケース体の開口部の周縁端とを接合するための接合手段が設けられる、スタンド機能付眼鏡ケースである。
【手続補正６】
【補正対象書類名】明細書
【補正対象項目名】００１０
【補正方法】変更
【補正の内容】
【００１０】
また、この考案にかかるスタンド機能付眼鏡ケースは、第１ケース体の開口部に設けられた回転部側の側面における底面側と、第２ケース体の開口部に設けられた回転部側の側面における上面側とに、第１ケース体の回転部側の側面と第２ケース体の回転部側の側面とを接合するための維持手段が設けられる、スタンド機能付眼鏡ケースである。
【手続補正７】
【補正対象書類名】明細書
【補正対象項目名】００１２
【補正方法】変更
【補正の内容】
【００１２】
この考案にかかるスタンド機能付眼鏡ケースは、底面と側面とにより収容部が形成される第１ケース体と、上面と側面とにより収容部が形成される第２ケース体とを備え、第１ケース体に形成される収容部の開口部と第２ケース体に形成される収容部の開口部とは、略同一形状に形成され、第１ケース体の開口部および第２ケース体の開口部は、対向する位置に、第１ケース体と第２ケース体とを連結する回転部が設けられ、第１ケース体および／または第２ケース体の側面は、少なくともその一部に、第１ケース体と第２ケース体とを接合する接合手段、第１ケース体と第２ケース体とを接合する維持手段および取付手段のうち少なくとも一つを有し、接合手段、維持手段および取付手段は、磁石を含み、磁石により第１ケース体および／または第２ケース体を磁性体で形成された適宜な取付部に着脱自在に保持させることを特徴とする、スタンド機能付眼鏡ケースであることから、携帯用眼鏡ケースとして利用でき、さらに卓上スタンドケースとして安定して利用でき、開口部の上部側には障害がないことから眼鏡等を収納し易く、磁石の作用により種々の取付部に保持させてケースとして利用することができる。
【手続補正８】
【補正対象書類名】明細書
【補正対象項目名】００２６
【補正方法】変更
【補正の内容】
【００２６】
また、本考案にかかるスタンド機能付眼鏡ケースにおいて、第１ケース体２０の背面２４ｄの上端辺付近において、磁性体である板状の金属片を接合手段３０として設け、第２ケース体４０の背面４４ｄの下端辺には、磁石を接合手段５０として設けることにより形成されているが、それに限られるものではなく、接合手段３０に、たとえば、磁石を設け、接合手段５０に、磁性体である板状の金属片を設けるようにしてもよく、接合手段３０および接合手段５０の両方に磁石を設けるようにしてもよい。
そうすると、図７（ａ）に示すように、スタンド機能付眼鏡ケース１０は、磁性体を有する壁に対して、第１ケース体２０の背面２４ｄおよび第２ケース体４４ｄを該壁に取り付けることが可能である。また、第１ケース体２０の正面２４ａおよび第２ケース体正面４４ｂを該壁に取り付けることも可能である。